(57)【要約】【課題】複数の子表示領域が同時に表示されている場合に、任意の子表示領域を拡大し、他の子表示領域を縮小しても当該複数の子表示領域を識別できるように表示制御することで、利用者の視認性を向上させる表示制御装置等を提供する。【解決手段】一つの親画面内に、複数の子画面を表示する表示制御装置２００であって、拡大対象となる拡大対象画面、及び縮小対象となる縮小対象画面を決定する対象領域決定部２１０と、各画面の表示領域を区画する境界線を検出する境界線検出部２２０と、縮小対象領域を識別する識別情報を少なくとも表示する領域を確保して、縮小対象領域の区画境界線の位置を移動する縮小境界線移動部２３０と、前記縮小対象領域を識別する識別情報を少なくとも表示する領域を確保して、拡大対象領域の区画境界線の位置を移動する拡大境界線移動部２４０と、移動した境界線に基づいて、前記複数の子画面に前記所定の表示内容を表示する表示制御部２５０とを備える。【選択図】図２
2010009418.tif 000002
【特許請求の範囲】
【請求項１】
一つの親表示領域内に、所定の表示内容が表示された複数の子表示領域を、所定のレイアウトで表示する表示制御装置であって、
前記複数の子表示領域のうち、拡大する対象となる任意の一部の拡大対象領域、及び当該拡大対象領域以外の縮小対象領域を、利用者の指示に基づいて決定する対象領域決定手段と、
前記対象領域決定手段が決定した表示領域を区画する区画境界線を検出する区画境界線検出手段と、
前記対象領域決定手段が決定した縮小対象領域について、当該縮小対象領域を識別する識別情報の全部又は一部を少なくとも表示する領域を確保して、前記区画境界線検出手段が検出した、前記縮小対象領域の区画境界線の位置を、当該縮小対象領域が縮小する方向に移動する縮小境界線移動手段と、
前記対象領域決定手段が決定した拡大対象領域について、当該拡大対象領域の区画境界線の位置を、前記縮小対象領域を識別する識別情報の全部又は一部を少なくとも表示する領域を確保して、当該拡大対象領域が拡大する方向に移動する拡大境界線移動手段と、
前記縮小境界線移動手段及び拡大境界線移動手段が移動した境界線に基づいて、前記複数の子表示領域に前記所定の表示内容を表示する表示制御手段とを備える表示制御装置。
【請求項２】
請求項１に記載の表示制御装置において、
前記対象領域決定手段が決定した拡大対象領域の上方向、下方向、左方向、及び右方向に向かって連続してレイアウトされている前記縮小対象領域の個数を当該各方向ごとに取得する縮小個数取得手段を備え、
前記縮小境界線移動手段が、前記複数の子表示領域の区画境界線が移動される直前のレイアウトに基づいて、前記縮小個数取得手段にて取得された各方向ごとの縮小対象領域の個数から前記縮小対象領域の区画境界線を移動する表示制御装置。
【請求項３】
請求項１又は２に記載の表示制御装置において、
前記縮小境界線移動手段が、前記縮小対象領域に表示される表示内容に関する情報に基づいて当該縮小対象領域の縮小率を決定し、当該決定された縮小率に基づいて区画境界線を移動させる表示制御装置。
【請求項４】
請求項１ないし３のいずれかに記載の表示制御装置において、
前記複数の子表示領域に表示される表示内容が、診療録情報、検査情報、処方情報、検査結果に関する情報、診療経過情報、入退院に関する情報、患者に関する情報、病名情報、及び予約状況に関する情報のうち少なくとも１以上の情報を含む表示制御装置。
【請求項５】
コンピュータが、一つの親表示領域内に、所定の表示内容が表示された複数の子表示領域を、所定のレイアウトで表示する表示制御方法であって、
前記複数の子表示領域のうち、拡大する対象となる任意の一部の拡大対象領域、及び当該拡大対象領域以外の縮小対象領域を、利用者の指示に基づいて決定する対象領域決定ステップと、
前記対象領域決定ステップで決定された表示領域を区画する区画境界線を検出する区画境界線検出ステップと、
前記対象領域決定ステップで決定された縮小対象領域について、当該縮小対象領域を識別する識別情報の全部又は一部を少なくとも表示する領域を確保して、前記区画境界線検出ステップで検出された、前記縮小対象領域の区画境界線の位置を、当該縮小対象領域が縮小する方向に移動する縮小境界線移動ステップと、
前記対象領域決定ステップで決定された拡大対象領域について、当該拡大対象領域の区画境界線の位置を、前記縮小対象領域を識別する識別情報の全部又は一部を少なくとも表示する領域を確保して、当該拡大対象領域が拡大する方向に移動する拡大境界線移動ステップと、
前記縮小境界線移動ステップ及び拡大境界線移動ステップで移動された境界線に基づいて、前記複数の子表示領域に前記所定の表示内容を表示する表示制御ステップとを含む表示制御方法。
【請求項６】
請求項５に記載の表示制御方法において、
前記対象領域決定ステップで決定された拡大対象領域の上方向、下方向、左方向、及び右方向に連続してレイアウトされている前記縮小対象領域の個数を当該各方向ごとに取得する縮小個数取得ステップを含み、
前記縮小境界線移動ステップが、前記複数の子表示領域の区画境界線が移動される直前のレイアウトに基づいて、前記縮小個数取得手段にて取得された各方向ごとの縮小対象領域の個数から前記縮小対象領域の区画境界線を移動する表示制御方法。
【請求項７】
一つの親表示領域内に、所定の表示内容が表示された複数の子表示領域を、所定のレイアウトで表示するようにコンピュータを機能させる表示制御プログラムであって、
前記複数の子表示領域のうち、拡大する対象となる任意の一部の拡大対象領域、及び当該拡大対象領域以外の縮小対象領域を、利用者の指示に基づいて決定する対象領域決定手段、
前記対象領域決定手段が決定した表示領域を区画する区画境界線を検出する区画境界線検出手段、
前記対象領域決定手段が決定した縮小対象領域について、当該縮小対象領域を識別する識別情報の全部又は一部を少なくとも表示する領域を確保して、前記区画境界線検出手段が検出した、前記縮小対象領域の区画境界線の位置を、当該縮小対象領域が縮小する方向に移動する縮小境界線移動手段、
前記対象領域決定手段が決定した拡大対象領域について、当該拡大対象領域の区画境界線の位置を、前記縮小対象領域を識別する識別情報の全部又は一部を少なくとも表示する領域を確保して、当該拡大対象領域が拡大する方向に移動する拡大境界線移動手段、
前記縮小境界線移動手段及び拡大境界線移動手段が移動した境界線に基づいて、前記複数の子表示領域に前記所定の表示内容を表示する表示制御手段としてコンピュータを機能させるための表示制御プログラム。
【請求項８】
請求項７に記載の表示制御プログラムにおいて、
前記対象領域決定手段が決定した拡大対象領域の上方向、下方向、左方向、及び右方向に連続してレイアウトされている前記縮小対象領域の個数を当該各方向ごとに取得する縮小個数取得手段としてコンピュータを機能させ、
前記縮小境界線移動手段が、前記複数の子表示領域の区画境界線が移動される直前のレイアウトに基づいて、前記縮小個数取得手段にて取得された各方向ごとの縮小対象領域の個数から前記縮小対象領域の区画境界線を移動する表示制御プログラム。
【請求項９】
医療情報を分割して複数の子表示領域へ表示する情報処理装置であって、
前記複数の子表示領域は境界線により分割されており、
前記境界線の移動により、前記子表示領域のうち拡大の対象となる、任意の一部の拡大対象領域が拡大されると共に、当該拡大対象領域以外の縮小対象領域が、当該子表示領域の領域サイズが変更される直前の所定のレイアウトを維持して縮小され、
前記縮小対象領域は、領域内に表示する医療情報を識別可能な最小領域サイズを定義しており、
前記境界線の移動は、前記最小領域サイズに制限される事を特徴とする情報処理装置。
【請求項１０】
請求項９に記載の情報処理装置において、
前記最小領域サイズは、前記医療情報を識別する識別情報を表示可能なサイズである情報処理装置。
【請求項１１】
請求項９又は１０に記載の情報処理装置において、
前記境界線の移動は、前記拡大対象領域の最大化機能を実行することで、前記最小領域サイズまで移動する情報処理装置。
【請求項１２】
請求項９ないし１１のいずれかに記載の情報処理装置において、
前記境界線の移動は、前記最小領域サイズを越えて移動指示した場合に、前記最小領域サイズに制限される情報処理装置。
【発明の詳細な説明】
【技術分野】
【０００１】
本発明は、一つの親表示領域に複数の子表示領域を表示する表示制御装置に関し、特に、複数の子表示領域の表示サイズを制御する表示制御装置等に関する。
【背景技術】
【０００２】
１つの表示領域（以下、親表示領域とする）内に複数の表示領域（以下、子表示領域とする）を表示することが一般的に行われている。例えば、１つのアプリケーションについて複数のファイルが存在する場合に、起動されたアプリケーションの親表示領域内に、当該複数のファイルを同時に開いて表示することがある（図１３（ａ）参照）。
【０００３】
しかし、前記のような表示方法では、最後に開いたファイルが以前に開いていたファイルを隠して前面に表示されるため、ファイルを開く度にレイアウトを手動で変更しなければならず、操作に大変手間が掛かってしまう（図１３（ｂ）参照）。
【０００４】
また、複数開いたファイルのうちの１つのファイルの表示領域を最大化した場合に、他のファイルは、当該最大化されたファイルに覆われてしまい、他のファイルに関する情報を同時に参照できなくなってしまう（図１３（ｃ）参照）。
そこで、これらの問題を解決する手段として特許文献１及び２に示す技術が開示されている。
【特許文献１】特開平８−１２９４７２号公報
【特許文献２】特開平５−１６５５９４号公報
【発明の開示】
【発明が解決しようとする課題】
【０００５】
しかしながら、特許文献１に示す技術は、背後に隠れたウインドウの存在を容易に確認することができるが、例えば、背後に隠れたウインドウが前面に表示されているウインドウの中心付近に小さく隠れているような場合には、前面に表示されているウインドウの情報損失が大きくなってしまうという課題を有する。
【０００６】
また、背後に隠れたウインドウの一部が前面に見える構成であるが、当該背面に隠れたウインドウに表示されている情報を識別することは困難であるため、ウインドウの存在は確認できても何のウインドウが存在しているかまでは、操作をして前面に表示しなければ確認することができないという課題を有する。
【０００７】
特許文献２に示す技術は、親フレームにおいて、子フレームとの画素階調の差分が最小となる領域に子フレームを重畳させることで、情報の欠損を最小限に抑える技術であるが、画素階調の差分が最小となる領域に重要な情報が表示されている可能性もあり、その場合には、親フレームにおける重要な情報が子フレームに覆われて欠損してしまうという課題を有する。また、子フレームが複数ある場合には親フレームの多くの情報が欠損してしまうという課題を有する。
【０００８】
つまり、特許文献１及び特許文献２に示す技術は、いずれも利用者の視認性が低く、作業効率が下がる可能性があると共に、複数の画面を同時に参照するという点では十分な技術ではないという課題を有する。
【０００９】
そこで、本発明は前記課題を解決するためになされたものであり、複数の子表示領域が同時に表示されている場合に、任意の子表示領域を拡大し、他の子表示領域を縮小しても当該複数の子表示領域を識別できるように表示制御することで、利用者の視認性を向上させる表示制御装置、情報処理装置、表示制御方法、及び表示制御プログラムを提供することを目的とする。
【課題を解決するための手段】
【００１０】
（１．表示制御装置）
本願に開示する表示制御装置は、一つの親表示領域内に、所定の表示内容が表示された複数の子表示領域を、所定のレイアウトで表示する表示制御装置であって、前記複数の子表示領域のうち、拡大する対象となる任意の一部の拡大対象領域、及び当該拡大対象領域以外の縮小対象領域を、利用者の指示に基づいて決定する対象領域決定手段と、前記対象領域決定手段が決定した表示領域を区画する区画境界線を検出する区画境界線検出手段と、前記対象領域決定手段が決定した縮小対象領域について、当該縮小対象領域を識別する識別情報の全部又は一部を少なくとも表示する領域を確保して、前記区画境界線検出手段が検出した、前記縮小対象領域の区画境界線の位置を、当該縮小対象領域が縮小する方向に移動する縮小境界線移動手段と、前記対象領域決定手段が決定した拡大対象領域について、当該拡大対象領域の区画境界線が、前記縮小対象領域を識別する識別情報の全部又は一部を少なくとも表示する領域を確保して、当該拡大対象領域が拡大する方向に移動する拡大境界線移動手段と、前記縮小境界線移動手段及び拡大境界線移動手段が移動した境界線に基づいて、前記複数の子表示領域に前記所定の表示内容を表示する表示制御手段とを備えるものである。
【００１１】
このように、本願に開示する表示制御装置においては、一つの親表示領域内に複数の子表示領域を所定のレイアウトで表示する場合に、当該複数の子表示領域のうち、拡大の対象になる拡大対象領域と縮小の対象になる縮小対象領域とを決定し、縮小対象領域の区画境界線を、当該縮小対象領域を識別できる情報を残して縮小するように移動させ、拡大対象領域の区画境界線の位置を、縮小対象領域を識別できる情報を残して当該拡大対象領域を拡大するように移動させるため、利用者は縮小対象領域を常に識別しながら拡大対象領域にて表示内容の詳細を参照することができ、利用者の視認性を向上させることができるという効果を奏する。
【００１２】
なお、区画境界線の移動については、子表示領域に備えられた最大化ボタンの押下により、拡大対象領域が最大限表示されるように演算して表示してもよい。そうすることで、拡大対象領域を最大限に表示することができ、利用者の視認性を向上させることができる。
【００１３】
また、マウスのドラッグや矢印キーの押下等により区画境界線を移動させるようにしてもよい。そうすることで、利用者の好みに応じて拡大対象領域のサイズを自由に変更することができると共に、縮小対象領域の識別情報を常に表示することで、利用者の視認性を向上させることができる。
【００１４】
（２．直前のレイアウトに基づく制御）
本願に開示する表示制御装置は、前記対象領域決定手段が決定した拡大対象領域の上方向、下方向、左方向、及び右方向に向かって連続してレイアウトされている前記縮小対象領域の個数を当該各方向ごとに取得する縮小個数取得手段を備え、前記縮小境界線移動手段が、前記複数の子表示領域の区画境界線が移動される直前のレイアウトに基づいて、前記縮小個数取得手段にて取得された各方向ごとの縮小対象領域の個数から前記縮小対象領域の区画境界線を移動するものである。
【００１５】
（３．縮小対象領域の縮小率）
本願に開示する表示制御装置は、前記縮小境界線移動手段が、前記縮小対象領域に表示される表示内容に関する情報に基づいて当該縮小対象領域の縮小率を決定し、当該決定された縮小率に基づいて区画境界線を移動させるものである。
【００１６】
（４．医療システムへの適用）
本願に開示する表示制御装置は、前記複数の子表示領域に表示される表示内容が、診療録情報、検査情報、処方情報、検査結果に関する情報、診療経過情報、入退院に関する情報、患者に関する情報、病名情報、及び予約状況に関する情報のうち少なくとも１以上の情報を含むものである。
なお、前記列記した情報以外にも医療行為に必要な情報（例えば、過去の病歴や他病院での診療録等）であれば表示することは可能である。
【００１７】
（５．情報処理装置）
本願に開示する情報処理装置は、医療情報を分割して複数の子表示領域へ表示する情報処理装置であって、前記複数の子表示領域は境界線により分割されており、前記境界線の移動により、前記子表示領域のうち拡大の対象となる、任意の一部の拡大対象領域が拡大されると共に、当該拡大対象領域以外の縮小対象領域が、当該子表示領域の領域サイズが変更される直前の所定のレイアウトを維持して縮小され、前記縮小対象領域は、領域内に表示する医療情報を識別可能な最小領域サイズを定義しており、前記境界線の移動は、前記最小領域サイズに制限される事を特徴とするものである。
【００１８】
（６．最小領域サイズ）
本願に開示する情報処理装置は、前記最小領域サイズは、前記医療情報を識別する識別情報を表示可能なサイズであるものである。
【００１９】
（７．最大化機能）
本願に開示する情報処理装置は、前記境界線の移動は、前記拡大対象領域の最大化機能を実行することで、前記最小領域サイズまで移動するものである。
【００２０】
（８．最小領域サイズの制限）
本願に開示する情報処理装置は、前記境界線の移動は、前記最小領域サイズを越えて移動指示した場合に、前記最小領域サイズに制限されるものである。
これまで、本発明を装置として示したが、所謂当業者であれば明らかであるように本発明を方法、及び、プログラムとして捉えることもできる。これら前記の発明の概要は、本発明に必須となる特徴を列挙したものではなく、これら複数の特徴のサブコンビネーションも発明となり得る。
【００２１】
すなわち、本願に開示する投影制御装置の構成要素または構成要素の任意の組合せを、方法、装置、システム、コンピュータプログラム、記録媒体、データ構造などに適用したものも、他の態様として有効である。
【発明を実施するための最良の形態】
【００２２】
以下、本発明の実施の形態を説明する。本発明は多くの異なる形態で実施可能である。従って、本実施形態の記載内容のみで本発明を解釈すべきではない。また、本実施形態の全体を通して同じ要素には同じ符号を付けている。
【００２３】
以下の実施の形態では、主に装置について説明するが、所謂当業者であれば明らかな通り、本発明は方法、及び、コンピュータを動作させるためのプログラムとしても実施できる。また、本発明はハードウェア、ソフトウェア、または、ハードウェア及びソフトウェアの実施形態で実施可能である。プログラムは、ハードディスク、ＣＤ−ＲＯＭ、ＤＶＤ−ＲＯＭ、光記憶装置、または、磁気記憶装置等の任意のコンピュータ可読媒体に記録できる。さらに、プログラムはネットワークを介した他のコンピュータに記録することができる。
【００２４】
また、各実施形態において、前記親表示領域を親画面、前記子表示領域を子画面とし、各子画面に表示される情報は、一例として医療に関する情報であるとする。つまり、電子カルテシステムにおける表示制御装置として説明する。
【００２５】
既存の電子カルテシステムにおいて、利用者である医師や看護師は、患者の診療情報を参照するために、それぞれの目的に応じた専用の参照ツール（検体検査結果参照ツール、画像検査結果参照ツール、カルテ内容参照ツール等）を事前に把握しておく必要があり、且つ個別に１つずつ起動しなければならないため、煩雑な操作性と一覧性の低さに加え、利用者の起点でなければ必要な診療情報が参照出来ないという問題があり常々指摘されているという現状がある。
【００２６】
従って、各実施形態においては、特に電子カルテシステムにおける表示制御装置として説明するが、本願に係る表示制御装置は電子カルテシステム以外のシステムにも適用可能である。
【００２７】
（本発明の第１の実施形態）
以下に、本実施形態に係る表示制御装置について図１ないし図６を用いて説明する。図１は、本実施形態に係る表示制御装置のハードウェア構成図、図２は、本実施形態に係る表示制御装置の機能ブロック図、図３は、本実施形態に係る表示制御装置の動作を示すフローチャート、図４は、境界線を移動させる直前の表示レイアウトの一例を示す図、図５は、境界線を移動させた後の表示レイアウトの一例を示す図、図６は、境界線を移動させた後の表示レイアウトの他の例を示す図である。
【００２８】
（１．構成と機能）
以下に、本実施形態に係る表示制御装置の構成及び機能について説明する。
【００２９】
（１−１  ハードウェア構成）
図１において、コンピュータ１は、ＣＰＵ（Ｃｅｎｔｒａｌ  Ｐｒｏｃｅｓｓｉｎｇ  Ｕｎｉｔ）１０１、ＲＡＭ（Ｒａｎｄｏｍ  Ａｃｃｅｓｓ  Ｍｅｍｏｒｙ）１０２、ＲＯＭ（Ｒｅａｄ  Ｏｎｌｙ  Ｍｅｍｏｒｙ）１０３、フラッシュメモリ（Ｆｌａｓｈ  Ｍｅｍｏｒｙ）１０４、外部記憶装置であるＨＤ（Ｈａｒｄ  Ｄｉｓｋ）１０５、ＬＡＮ（Ｌｏｃａｌ  Ａｒｅａ  Ｎｅｔｗｏｒｋ）カード１０６、マウス１０７、キーボード１０８、ビデオカード１０９、このビデオカード１０９と電気的に接続する表示装置であるディスプレイ１０９ａ、サウンドカード１１０、このサウンドカード１１０と電気的に接続する音出力装置であるスピーカ１１０ａ及びフレキシブルディスク、ＣＤ−ＲＯＭ、ＤＶＤ−ＲＯＭ等の記憶媒体を読み書きするドライブ１１１からなる。
なお、上記ハードウェア構成はあくまで一例を示したものであり、構成要素の変更をすることができるのは当然である。
【００３０】
（１−２  モジュール構成と機能）
図２において、表示制御装置２００は、対象領域決定部２１０と境界線検出部２２０と縮小境界線移動部２３０と拡大境界線移動部２４０と表示制御分２５０とを備える。
対象領域決定部２１０は、利用者がマウス１０７又はキーボード１０８を介して入力した拡大対象領域指示情報２０５に基づいて、子画面の中から拡大の対象となる拡大対象画面と縮小の対象となる縮小対象画面とを決定する処理を行う。この場合、親画面内の全ての子画面が、拡大対象画面又は縮小対象画面のいずれかに決定される。
境界線検出部２２０は、子画面を区画している境界線を検出することで、画面の表示状態を把握する処理を行う。
【００３１】
縮小境界線移動部２３０は、対象領域決定部２１０で決定した縮小対象画面を区画する境界線を移動する処理を行う。この場合、縮小対象画面を識別する識別情報を表示する領域を少なくとも確保しつつ境界線を移動する。識別情報とは、例えば、子画面の名称やタイトルであり、子画面内に表示される内容が何であるかを把握できる情報である。
【００３２】
なお、識別情報は全てを表示する必要はなく、識別情報を認識できる程度が表示されればよい。例えば、子画面が３つあり、それぞれの名称がレポートビューア、経過表ビューア、病名ビューアであるとすると、「ビューア」を表示せず「レポート」、「経過表」、「病名」を表示すれば、識別情報を認識し、各画面を識別することができる。さらに、装置を使い慣れた利用者であれば「レ」、「経」、「病」だけでも識別情報を認識することができる。このように、識別情報の一部のみが表示されるように領域を確保してもよい。
【００３３】
また、どの程度の領域を確保するかは、利用者が任意に設定できるようにしてもよい。
拡大境界線移動部２４０は、縮小対象画面を識別する識別情報の全部又は一部を少なくとも表示する領域を確保して、拡大対象画面の表示領域を拡大する方向に、当該拡大対象画面の区画境界線を移動する処理を行う。
【００３４】
なお、区画境界線の移動については、子画面に備えられた最大化ボタンの押下により、拡大対象領域が最大限表示されるように演算して表示してもよい。そうすることで、利用者は、マウスクリック又はボタンの押下という操作のみで画面全体の表示変更を行うことができ、利用者の手間を大幅に削減することができる。この場合、拡大対象画面の区画境界線は、縮小対象画面の区画境界線の位置に基づいて演算処理が行われるようにしてもよい。
【００３５】
また、マウスのドラッグや矢印キーの押下等により区画境界線を移動させるようにしてもよい。その場合、拡大対象画面の区画境界線の移動と共に、縮小対象画面の区画境界線が移動し、縮小対象画面の識別情報の表示のために確保された領域内には、区画境界線が移動できない構成となる。すなわち、図２における点線の矢印で示されるように、縮小境界線移動部２３０の処理と拡大境界線移動部２４０の処理が並行して行われる構成となる。そうすることで、縮小対象画面の識別情報の表示のために確保された領域は常に表示された状態となり、利用者が縮小対象領域を識別しながら拡大対象領域にて表示内容の詳細を参照することができる。
表示制御部２５０は、縮小境界線移動部２３０が移動した区画境界線と拡大境界線移動部２４０が移動した区画境界線の範囲内で、それぞれの画面の表示内容をディスプレイ１０９ａに表示する処理を行う。
【００３６】
（２．動作）
以下に、本実施形態に係る表示制御装置の動作について説明する。図３において、まず、対象領域決定部２１０が、子画面の中から利用者により入力された拡大対象領域指示情報２０５に基づいて、拡大対象画面と縮小対象画面を決定する（ステップＳ３１）。
【００３７】
拡大対象領域指示情報とは、具体的には、図４に示すような複数の子画面の中から、利用者が表示領域を拡大したい子画面を選択し、その選択した子画面の情報である。ここでは、仮に左上隅の子画面１が利用者により選択されたとすると、子画面１については拡大対象画面として決定され、その他の子画面２〜６は縮小対象画面として決定される。
【００３８】
図３に戻って、拡大対象画面と縮小対象画面が決定されると、境界線検出部２２０が、各子画面を区画する境界線を検出する（ステップＳ３２）。区画境界線を検出することで、図４に示すような表示状態を把握することができる。区画境界線が検出されると、縮小境界線移動部２３０が、縮小対象画面の区画境界線を、当該縮小対象画面を識別する識別情報が表示される領域を確保して移動させる（ステップＳ３３）。
【００３９】
ここで、ステップＳ３３の処理について詳細に説明する。図５及び図６において、縮小対象画面（子画面２〜６）が識別情報（ここでは、子画面の名称：ビューア名とする）を表示する領域を残しつつ下端（図５参照）又は右端（図６参照）にまとめて表示されている。これは、境界線検出部２２０が検出した区画境界線、縮小対象画面の数、及び識別情報の表示に必要な領域サイズから縮小対象領域の区画境界線の位置を決定して区画境界線を移動している。このとき、拡大対象画面の表示領域がなるべく大きく拡大できるように区画境界線の位置が決定される。つまり、図５の場合には、縮小対象画面を全て上端に表示するか、縮小対象画面を全て下端に表示するか、縮小対象画面の一部を上端に表示し、他を下端に表示する。いずれの場合であっても、拡大対象画面の表示サイズは同じである。一方、図６の場合には、縮小対象画面を全て右端に表示するか、縮小対象画面を全て左端に表示することで、拡大対象画面を最大限に表示することができる。このようにして、縮小対象画面の区画境界線が移動される。
【００４０】
なお、上下左右のいずれか一方向のみに縮小対象画面が表示される必要はなく、上下左右の一又は複数の方向に表示されるようにしてもよい。例えば、子画面２と３は図６のように右端に表示され、子画面４ないし６は図５のように下端に表示されてもよい。
【００４１】
図３に戻って、ステップＳ３３で縮小対象画面の区画境界線が移動されると、拡大境界線移動部２４０が、その移動された縮小対象画面の区画境界線に基づいて拡大対象画面の区画境界線を、当該拡大対象画面が最大限拡大されるように移動する（ステップＳ３４）。移動された各区画境界線に基づいて、表示制御部２５０が、拡大対象画面と縮小対象画面の表示内容をディスプレイ１０９ａに表示して（ステップＳ３５）、処理を終了する。
【００４２】
なお、ここでは、縮小対象画面の区画境界線を移動させ、当該移動させた縮小対象画面の区画境界線に基づいて、拡大対象画面の区画境界線の位置を移動させたが、前述したように、縮小対象画面の区画境界線、及び拡大対象画面の区画境界線の移動処理をマウスのドラッグ等により並行して行うようにしてもよい。
【００４３】
このように、本実施形態に係る表示制御装置によれば、一つの親画面内に複数の子画面を所定のレイアウトで表示する場合に、当該複数の子画面のうち、拡大の対象になる拡大対象画面と縮小の対象になる縮小対象画面とを決定し、縮小対象画面の区画境界線を、当該縮小対象画面を識別できる情報を残して縮小するように移動させ、拡大対象画面の区画境界線を、縮小対象画面を識別できる情報を残して当該拡大対象画面を拡大するように移動させるため、利用者は縮小対象画面を常に識別しながら拡大対象画面にて表示内容の詳細を参照することができ、利用者の視認性を向上させることができる。
また、拡大対象画面の表示領域を最大限に表示できるように演算を行うことで、利用者の視認性を向上させることができる。
【００４４】
さらに、マウスのドラッグや矢印キーの押下等により区画境界線を移動させるようにすることで、利用者の好みに応じて拡大対象画面のサイズを自由に変更することができると共に、縮小対象画面の識別情報を常に表示することで、利用者の視認性を向上させることができる。
【００４５】
（本発明の第２の実施形態）
以下に、本実施形態に係る表示制御装置について図４、及び図７ないし図９を用いて説明する。図７は、本実施形態に係る表示制御装置の機能ブロック図、図８は、本実施形態に係る表示制御装置の動作を示すフローチャート、図９は、境界線を移動させた後の表示レイアウトの一例を示す図である。
なお、本実施形態に係る表示制御装置のハードウェア構成は、第１の実施形態と同様であるため説明は省略する。
また、第１の実施形態に係る表示制御装置と重複する箇所の説明については省略する。
【００４６】
（１．構成と機能）
図７において、第１の実施形態に係る表示制御装置２００と異なるのは、縮小個数取得部２１５を備えることである。
縮小個数取得部２１５は、境界線検出部２２０が検出した区画境界線に基づく現在の表示レイアウト状態から、拡大対象画面として決定された子画面の上下左右の各方向に向かって連続してレイアウトされている縮小対象画面の個数を取得する処理を行う。
【００４７】
縮小境界線移動部２３０は、縮小個数取得部２１５が取得した個数に基づいて拡大対象画面の上下左右の各方向に必要な領域の大きさを算出し、算出した領域の大きさと現在のレイアウト状態に基づいて、各縮小対象画面間の配置関係を維持しつつ区画境界線を移動させる処理を行う。
対象領域決定部２１０、境界線検出部２２０、拡大境界線移動部２４０、表示制御部２５の機能は、第１の実施形態に係る表示制御装置２００と同様であるため説明は省略する。
【００４８】
（２．動作）
以下に、本実施形態に係る表示制御装置の動作について説明する。図８において、まず、対象領域決定部２１０が、子画面の中から利用者により入力された拡大対象領域指示情報２０５に基づいて、拡大対象画面と縮小対象画面を決定する（ステップＳ８１）。拡大対象画面と縮小対象画面が決定されると、境界線検出部２２０が、各子画面を区画する境界線を検出する（ステップＳ８２）。区画境界線を検出することで、現在の表示状態を把握することができる。検出された区画境界線に基づいて、縮小個数取得部２１５が、決定された拡大対象画面の上下左右の各方向に連続してレイアウトされている縮小対象画面の個数を取得する（ステップＳ８３）。
【００４９】
ここで、ステップＳ８３の処理について詳細に説明する。今、仮に図４に示すレイアウトで子画面が表示されている場合、ステップＳ８１で子画面１が拡大対象画面として決定され、他の子画面が縮小対象画面として決定されたとすると、子画面１の右方向に向かって連続してレイアウトされている縮小対象画面の個数は１で、子画面１の下方向に向かって連続してレイアウトされている縮小対象画面の個数は２である。上方向と左方向は０である。このように、縮小個数取得部２１５は、拡大対象画面の上下左右の各方向における縮小対象画面の個数を取得する。
【００５０】
図８に戻って、ステップＳ８３で取得した縮小対象画面の個数に基づいて、拡大対象画面の上下左右の各方向に、縮小対象画面を表示するのに必要な領域の大きさを算出する（ステップＳ８４）。算出した領域のサイズに基づいて、各縮小対象画面間の配置関係を維持しつつ区画境界線を移動する（ステップＳ８５）。移動された縮小対象画面の区画境界線に基づいて拡大対象画面の区画境界線を、当該拡大対象画面が最大限拡大されるように移動し（ステップＳ８６）、移動された各区画境界線に基づいて、表示制御部２５０が、拡大対象画面と縮小対象画面の表示内容をディスプレイ１０９ａに表示して（ステップＳ８７）、処理を終了する。
【００５１】
図９は、上記処理後の表示レイアウトの一例である。図９において、図４に示すレイアウトで子画面が表示されている場合、子画面１が拡大対象画面として決定され、子画面２ないし６が縮小対象画面として決定されている。子画面１の上下左右の各方向には、上方向に向かって０、下方向に向かって２、右方向に向かって１、左方向に向かって０の縮小対象画面が連続してレイアウトされている。
なお、ここで、右方向には子画面４、５、６が連続してレイアウトされているが、上下方向に向かって連続しており、右方向に向かって連続している個数は１として個数を取得する。
【００５２】
取得した縮小対象画面の個数から、子画面１の下方向には、子画面２及び子画面３を識別する識別情報（図中の点線で示した領域）を表示する領域を確保するように、当該子画面２及び子画面３の区画境界線を移動する。また、子画面１の右方向には、同様に子画面４ないし６を識別する識別情報（図中の点線で示した領域）を表示する領域を確保するように、当該子画面４ないし６の区画境界線を移動する。この右方向の表示領域を確保する場合は、子画面４ないし６のうち、横方向に最も長い識別情報が表示されるように区画境界線を移動する。
【００５３】
また、縮小対象画面の区画境界線を移動する場合に、各縮小対象画面間の配置関係を維持しつつ区画境界線を移動する。つまり、子画面２及び子画面３は、図４に示すように境界線の移動前は、子画面１の下方向に子画面２、子画面３の順番で配置されている。従って、図９に示すように境界線移動後も子画面１の下方向に子画面２、子画面３の順番での配置を維持したままとなる。子画面４ないし６についても同様であり、図４に示すように子画面４ないし６はいずれも子画面１の右方向に配置されており、且つ上から子画面４、５、６の順番で配置されている。従って、図９に示すように境界線移動後も子画面１の右方向で、且つ上から子画面４、５、６の順番での配置を維持したままとなる。
【００５４】
縮小対象画面である子画面２ないし６の各区画境界線の移動位置に基づいて、拡大対象画面である子画面１が、最大限拡大されるように当該子画面１の区画境界線を移動し、各子画面の表示内容が表示される。
【００５５】
このように、本実施形態に係る表示制御装置によれば、拡大対象画面の上下左右方向に連続してレイアウトされている縮小対象画面の個数を当該各方向ごとに取得することで、拡大対象画面の上下左右方向の各方向に必要な領域を算出することができ、当該縮小対象画面の区画境界線が移動される直前のレイアウトに基づいて、各方向ごとに必要な領域から縮小対象画面の区画境界線を移動するため、各縮小対象画面間のレイアウト（配置関係）を維持しつつ区画境界線を移動させて表示領域を縮小させることができ、視覚効果により利用者の思考の途切れを防止する表示制御を行うことができる。
【００５６】
（その他の実施形態）
以下に、その他の実施形態として幾つかの実施形態を説明する。ここでは、上記第１又は第２の実施形態と重複する箇所については説明を省略する。
【００５７】
（１．縮小対象画面の縮小率の決定）
図１０は、縮小対象画面ごとに縮小率が異なる場合のレイアウトの一例である。ここでは、縮小対象画面の縮小率を、当該縮小対象画面に表示する表示内容に関する情報に基づいて設定し、設定した縮小率を満たすように縮小対象画面の境界線を移動させる。表示内容に関する情報とは、例えば、表示内容の情報量、情報種別、情報の重要度等である。
【００５８】
ここで、境界線移動前の表示レイアウトを図４のレイアウトとし、境界線移動後の表示レイアウトを図１０のレイアウトとする。また、子画面１が拡大対象画面で子画面２ないし６が縮小対象画面として決定されているとする。図８においては、上下左右の各方向ごとに縮小対象画面を一律に縮小したが、ここでは、縮小対象画面ごとに縮小率を設定する。
【００５９】
縮小率は、少なくとも縮小対象画面の識別情報を表示する領域を確保するように設定される（図１０の点線部分）。子画面３、４、６については、少なくとも点線で示す識別情報が表示されるように区間境界線を移動する。子画面２、５については、少なくとも点線で示す表示内容が表示されるように区間境界線を移動する。図１０において、子画面２及び子画面５は、図４における子画面２及び子画面５と比較するといずれも縮小されているが、図８の場合に比べて縮小率が小さく、表示領域が大きくなっている。これは、子画面２及び子画面５に表示する表示内容の情報量が多いことによる。
【００６０】
このように、表示内容の情報量が多い場合には、縮小率を小さく設定する。同様にして、情報種別又は情報の重要度により縮小率を設定してもよい。例えば、子画面２及び子画面５に表示する表示内容が、頻繁に更新されるタイプ（種別）の情報である場合、又は非常に重要な情報であるような場合には、図１０のように子画面２及び子画面５の縮小率を小さく設定する。この場合、図８のときに比べて、縮小対象画面の表示領域が大きくなっているため、拡大対象画面である子画面１の表示領域は小さくなっている。つまり、拡大対象画面の表示領域を多少小さくしてでも、縮小対象画面の一部の領域を少しでも大きく表示したい場合に、このような縮小率の設定を行うようにする。
【００６１】
なお、縮小率は、子画面に表示する表示内容に関する情報に応じて利用者が必要に応じて予め任意に設定できるようにしてもよい。
また、拡大対象画面の拡大率を予め設定し、その拡大率に応じて縮小率を設定するようにしてもよい。
さらに、縮小率の設定は、表示内容の情報量、重要度に反比例（情報量が多ければ縮小率を小さく、重要度が高ければ縮小率を小さく）して設定するようにしてもよい。
【００６２】
（２．複数の拡大対象画面を決定）
図１１は、拡大対象画面が複数決定された場合のレイアウトの一例である。ここでは、利用者から入力される拡大対象領域指示情報２０５において、拡大対象画面が複数（２画面）選択されている。従って、拡大対象画面が２つとなっている。
【００６３】
拡大対象画面が複数決定されている場合であっても、基本的な処理の流れは、第１又は第２の実施形態の場合と同様である。区画境界線、縮小対象画面の数（又は、拡大対象画面の上下左右方向に連続してレイアウトされる縮小対象画面の数）、及び識別情報の表示に必要な領域サイズから、縮小対象画面の区画境界線を移動させる。そして、移動させた縮小対象画面の区画境界線の位置に基づいて、拡大対象画面の区画境界線を移動する。このとき、拡大対象画面が複数ある場合には、拡大対象画面の表示領域をその数に応じて分割して表示する。
【００６４】
図１１の場合は、子画面Ａ及び子画面Ｂが拡大対象画面となっており、横方向については、拡大対象画面が２つ横並びに表示されるため表示領域を２分割し、縦方向については、縮小対象画面の識別情報が少なくとも表示される領域を確保して境界線を移動している。こうすることで、２つの拡大対象領域を、ほぼ同一の表示領域を確保して表示することができる。
【００６５】
なお、図１１において、仮に子画面Ａ、子画面Ｂ、及び子画面Ｃが拡大対象画面である場合には、横方向の表示領域（拡大対象画面を表示するための表示領域）を３分割して子画面Ａ、Ｂ、Ｃを表示してもよいし、横方向の表示領域を２分割し、さらに２分割したうちの右領域を縦方向に２分割し、左領域に子画面Ａ、右上領域に子画面Ｃ、右した領域に子画面Ｂを表示するようにしてもよい。そうすることで、直前のレイアウトを維持しつつ表示制御を行うことができる。
【００６６】
このように、本実施形態に係る表示制御装置によれば、拡大対象画面が複数選択された場合であっても、拡大対象画面の表示領域を分割することで、複数の拡大対象画面を表示することができる。特に、同一の表示内容で時系列が異なる表示内容（例えば、今年のＡ検査の結果と去年のＡ検査の結果）については、同一の画面で同時に比較することが可能となり、しかも、縮小対象画面のレイアウトも維持されているため、利用者の作業性を格段に向上させることができる。
【００６７】
（３．複雑なレイアウトの場合）
図１２は、現在のレイアウトが複雑である場合の境界線移動後のレイアウトの一例である。図１２（ａ）は、区画境界線移動前の現在のレイアウトの状態を示しており、図１２（ｂ）は、区画境界線移動後のレイアウトの状態を示している。ここでは、子画面１から子画面９までがレイアウトされており、拡大対象画面として子画面７が決定されたとする。また、ここでは、第２の実施形態に示したように、各縮小対象画面間の配置関係を維持しつつ当該縮小対象画面の区画境界線を移動するとする。
【００６８】
まず、子画面７が拡大対象画面として選択されているため、子画面７の上下左右の各方向に向かって連続してレイアウトされている縮小対象画面の個数を取得する。図１２（ａ）から、子画面７の上方向に向かっては２、下方向、右方向、左方向に向かってはそれぞれ１の縮小対象画面がレイアウトされている。取得した個数から、子画面７の上下左右それぞれの方向について、縮小対象画面を識別する識別情報を表示するための領域のサイズを算出する。
【００６９】
なお、各縮小対象画面に、表示内容に関する情報に基づいて縮小率が設定されている場合には、その縮小率に基づいて、縮小対象画面の表示領域のサイズを算出する。
算出した領域サイズに基づいて、縮小対象画面の区画境界線を移動させる。このとき、各縮小対象画面間の配置関係を維持しつつ、当該縮小対象画面の区画境界線を移動する。移動した縮小対象画面の区画境界線に基づいて、拡大対象画面の区画境界線を移動し、各画面の表示内容を表示する（図１２（ｂ）参照）。
【００７０】
（４．電子カルテシステムとしての表示装置）
各実施形態において、電子カルテシステムとしての表示制御装置であることから、各子画面に表示される表示内容の一例として、診療録情報（医師による手書きの文書等も含む）、検査情報（例えば、単発で行われる検査、時系列的に連続して行われる検査、細菌検査、レントゲン検査等）、処方情報、検査結果に関する情報（例えば、単発で行われる検査結果、時系列的に連続して行われる検査結果、細菌検査結果、レントゲン検査結果等）、診療経過情報、入退院に関する情報（例えば、入退院履歴、退院の履歴一覧等）、患者や患者の家族に関する情報（病歴等）、病名情報、予約状況に関する情報等が挙げられる。
【００７１】
医師はこれらの情報を総合的に診ながら診療を行うため、全ての情報が詳細に表示されることが望ましいが、ディスプレイの大きさには限度があり、全ての情報を詳細に表示することはできない。従って、注目したい情報の表示領域（拡大対象領域に相当）について、当該表示領域を拡大して表示し、他の情報の表示領域（縮小対象領域に相当）については、当該表示領域を縮小して対応する。しかし、他の情報が完全に視界から消失してしまうと、医師の思考を途切れさせてしまう可能性があるため、少なくとも識別情報のみを常時表示させることで、「気付きの情報」を提示し、診療情報の見落としを防止することができる。
【００７２】
このように、本実施形態に係る表示制御装置によれば、縮小対象画面に表示される表示内容に関する情報に基づいて当該縮小対象領域の縮小率を決定し、当該決定された縮小率に基づいて当該縮小対象画面の区画境界線を移動させるため、例えば、表示内容情報量が多い縮小対象画面や表示内容が特に重要である縮小対象画面については、縮小対象画面が縮小するように移動するが、その縮小率が小さくなるように移動させることで、利用者の思考の途切れを防止して、視認性を向上させることができる。
また、拡大対象画面が複数の場合であっても、複雑な処理を行うことなく、容易に表示制御することができ、利用者の操作性を向上させて、処理効率を上げることができる。
【００７３】
さらに、複数の拡大対象画面を、同じ情報内容で時系列が異なる情報に決定することで、情報の比較を容易に行うことができ、作業効率を上げることができる。
さらにまた、複雑なレイアウトであっても、本願に係る表示制御装置は適用可能であるため、様々な表示情報に対応することができる。
【００７４】
さらにまた、複数の子画面に表示される表示内容が、診療録情報、検査情報、処方情報、検査結果に関する情報、診療経過情報、入退院に関する情報、患者に関する情報、病名情報、及び予約状況に関する情報のうち少なくとも１以上の情報であるため、医療の分野における電子カルテシステム等に適用することができ、様々な角度からの情報に基づいて診療を行う医師や看護婦等の利用者にとって利用性の高いシステムを提供することができる。
【００７５】
さらにまた、特に人命に関わる作業を行う医師にとっては、情報の見落としや欠損等のミスにより重大な医療過誤に発展する可能性があるため、必要な情報（情報を識別する識別情報）が常に表示され、思考の途切れを防止することで、重大な医療過誤の防止に繋がる。
【００７６】
以上の前記各実施形態により本発明を説明したが、本発明の技術的範囲は実施形態に記載の範囲には限定されず、これら各実施形態に多様な変更又は改良を加えることが可能である。そして、かような変更又は改良を加えた実施の形態も本発明の技術的範囲に含まれる。このことは、特許請求の範囲及び課題を解決する手段からも明らかなことである。
【００７７】
なお、本願に係る表示制御装置は、前記にも示したように電子カルテシステムにおける表示制御装置として実施することができる。また、電子カルテシステム以外にも、例えば、製品設計、建築設計、プロジェクト管理等の複数の画面を同時に表示させるようなシステム（マルチレイアウトシステム）であれば適用可能である。
【００７８】
（５．付記）
前記各実施形態に関して次の付記を示す。
（付記１）一つの親表示領域内に、所定の表示内容が表示された複数の子表示領域を、所定のレイアウトで表示する表示制御装置であって、前記複数の子表示領域のうち、拡大する対象となる任意の一部の拡大対象領域、及び当該拡大対象領域以外の縮小対象領域を、利用者の指示に基づいて決定する対象領域決定手段と、前記対象領域決定手段が決定した表示領域を区画する区画境界線を検出する区画境界線検出手段と、前記対象領域決定手段が決定した縮小対象領域について、当該縮小対象領域を識別する識別情報の全部又は一部を少なくとも表示する領域を確保して、前記区画境界線検出手段が検出した、前記縮小対象領域の区画境界線の位置を、当該縮小対象領域が縮小する方向に移動する縮小境界線移動手段と、前記対象領域決定手段が決定した拡大対象領域について、当該拡大対象領域の区画境界線の位置を、前記縮小対象領域を識別する識別情報の全部又は一部を少なくとも表示する領域を確保して、当該拡大対象領域が拡大する方向に移動する拡大境界線移動手段と、前記縮小境界線移動手段及び拡大境界線移動手段が移動した境界線に基づいて、前記複数の子表示領域に前記所定の表示内容を表示する表示制御手段とを備える表示制御装置。
【００７９】
（付記２）付記１に記載の表示制御装置において、前記対象領域決定手段が決定した拡大対象領域の上方向、下方向、左方向、及び右方向に向かって連続してレイアウトされている前記縮小対象領域の個数を当該各方向ごとに取得する縮小個数取得手段を備え、前記縮小境界線移動手段が、前記複数の子表示領域の区画境界線が移動される直前のレイアウトに基づいて、前記縮小個数取得手段にて取得された各方向ごとの縮小対象領域の個数から前記縮小対象領域の区画境界線を移動する表示制御装置。
【００８０】
（付記３）付記１又は２に記載の表示制御装置において、前記縮小境界線移動手段が、前記縮小対象領域に表示される表示内容に関する情報に基づいて当該縮小対象領域の縮小率を決定し、当該決定された縮小率に基づいて当該縮小対象領域の区画境界線を移動させる表示制御装置。
【００８１】
（付記４）付記１ないし３のいずれかに記載の表示制御装置において、前記複数の子表示領域に表示される表示内容が、診療録情報、検査情報、処方情報、検査結果に関する情報、診療経過情報、入退院に関する情報、患者に関する情報、病名情報、及び予約状況に関する情報のうち少なくとも１以上の情報を含む表示制御装置。
【００８２】
（付記５）コンピュータが、一つの親表示領域内に、所定の表示内容が表示された複数の子表示領域を、所定のレイアウトで表示する表示制御方法であって、前記複数の子表示領域のうち、拡大する対象となる任意の一部の拡大対象領域、及び当該拡大対象領域以外の縮小対象領域を、利用者の指示に基づいて決定する対象領域決定ステップと、前記対象領域決定ステップで決定された表示領域を区画する区画境界線を検出する区画境界線検出ステップと、前記対象領域決定ステップで決定された縮小対象領域について、当該縮小対象領域を識別する識別情報の全部又は一部を少なくとも表示する領域を確保して、前記区画境界線検出ステップで検出された、前記縮小対象領域の区画境界線の位置を、当該縮小対象領域が縮小する方向に移動する縮小境界線移動ステップと、前記対象領域決定ステップで決定された拡大対象領域について、当該拡大対象領域の区画境界線の位置を、前記縮小対象領域を識別する識別情報の全部又は一部を少なくとも表示する領域を確保して、当該拡大対象領域が拡大する方向に移動する拡大境界線移動ステップと、前記縮小境界線移動ステップ及び拡大境界線移動ステップで移動された境界線に基づいて、前記複数の子表示領域に前記所定の表示内容を表示する表示制御ステップとを含む表示制御方法。
【００８３】
（付記６）付記５に記載の表示制御方法において、前記対象領域決定ステップで決定された拡大対象領域の上方向、下方向、左方向、及び右方向に向かって連続してレイアウトされている前記縮小対象領域の個数を当該各方向ごとに取得する縮小個数取得ステップを含み、前記縮小境界線移動ステップが、前記複数の子表示領域の区画境界線が移動される直前のレイアウトに基づいて、前記縮小個数取得手段にて取得された各方向ごとの縮小対象領域の個数から前記縮小対象領域の区画境界線を移動する表示制御方法。
【００８４】
（付記７）付記５又は６に記載の表示制御方法において、前記縮小境界線移動ステップが、前記縮小対象領域に表示される表示内容に関する情報に基づいて当該縮小対象領域の縮小率を決定し、当該決定された縮小率に基づいて当該縮小対象領域の区画境界線を移動させる表示制御方法。
【００８５】
（付記８）付記５ないし７のいずれかに記載の表示制御方法において、前記複数の子表示領域に表示される表示内容が、診療録情報、検査情報、処方情報、検査結果に関する情報、診療経過情報、入退院に関する情報、患者に関する情報、病名情報、及び予約状況に関する情報のうち少なくとも１以上の情報を含む表示制御方法。
【００８６】
（付記９）一つの親表示領域内に、所定の表示内容が表示された複数の子表示領域を、所定のレイアウトで表示するようにコンピュータを機能させる表示制御プログラムであって、前記複数の子表示領域のうち、拡大する対象となる任意の一部の拡大対象領域、及び当該拡大対象領域以外の縮小対象領域を、利用者の指示に基づいて決定する対象領域決定手段、前記対象領域決定手段が決定した表示領域を区画する区画境界線を検出する区画境界線検出手段、前記対象領域決定手段が決定した縮小対象領域について、当該縮小対象領域を識別する識別情報の全部又は一部を少なくとも表示する領域を確保して、前記区画境界線検出手段が検出した、前記縮小対象領域の区画境界線の位置を、当該縮小対象領域が縮小する方向に移動する縮小境界線移動手段、前記対象領域決定手段が決定した拡大対象領域について、当該拡大対象領域の区画境界線の位置を、前記縮小対象領域を識別する識別情報の全部又は一部を少なくとも表示する領域を確保して、当該拡大対象領域が拡大する方向に移動する拡大境界線移動手段、前記縮小境界線移動手段及び拡大境界線移動手段が移動した境界線に基づいて、前記複数の子表示領域に前記所定の表示内容を表示する表示制御手段としてコンピュータを機能させるための表示制御プログラム。
【００８７】
（付記１０）付記９に記載の表示制御プログラムにおいて、前記対象領域決定手段が決定した拡大対象領域の上方向、下方向、左方向、及び右方向に向かって連続してレイアウトされている前記縮小対象領域の個数を当該各方向ごとに取得する縮小個数取得手段としてコンピュータを機能させ、前記縮小境界線移動手段が、前記複数の子表示領域の区画境界線が移動される直前のレイアウトに基づいて、前記縮小個数取得手段にて取得された各方向ごとの縮小対象領域の個数から前記縮小対象領域の区画境界線を移動する表示制御プログラム。
【００８８】
（付記１１）付記９又は１０に記載の表示制御プログラムにおいて、前記縮小境界線移動手段が、前記縮小対象領域に表示される表示内容に関する情報に基づいて当該縮小対象領域の縮小率を決定し、当該決定された縮小率に基づいて当該縮小対象領域の区画境界線を移動させる表示制御プログラム。
【００８９】
（付記１２）付記９ないし１１のいずれかに記載の表示制御プログラムにおいて、前記複数の子表示領域に表示される表示内容が、診療録情報、検査情報、処方情報、検査結果に関する情報、診療経過情報、入退院に関する情報、患者に関する情報、病名情報、及び予約状況に関する情報のうち少なくとも１以上の情報を含む表示制御プログラム。
【００９０】
（付記１３）医療情報を分割して複数の子表示領域へ表示する情報処理装置であって、前記複数の子表示領域は境界線により分割されており、前記境界線の移動により、前記子表示領域のうち拡大の対象となる、任意の一部の拡大対象領域が拡大されると共に、当該拡大対象領域以外の縮小対象領域が、当該子表示領域の領域サイズが変更される直前の所定のレイアウトを維持して縮小され、前記縮小対象領域は、領域内に表示する医療情報を識別可能な最小領域サイズを定義しており、前記境界線の移動は、前記最小領域サイズに制限される事を特徴とする情報処理装置。
【００９１】
（付記１４）付記１３に記載の情報処理装置において、前記最小領域サイズは、前記医療情報を識別する識別情報を表示可能なサイズである情報処理装置。
【００９２】
（付記１５）付記１３又は１４に記載の情報処理装置において、前記境界線の移動は、前記拡大対象領域の最大化機能を実行することで、前記最小領域サイズまで移動する情報処理装置。
【００９３】
（付記１６）付記１３ないし１５のいずれかに記載の情報処理装置において、前記境界線の移動は、前記最小領域サイズを越えて移動指示した場合に、前記最小領域サイズに制限される情報処理装置。
【００９４】
（付記１７）医療情報を分割して複数の子表示領域へ表示するようにコンピュータを動作させる情報処理方法であって、前記複数の子表示領域は境界線により分割されており、前記境界線の移動により、前記子表示領域のうち拡大の対象となる、任意の一部の拡大対象領域が拡大されると共に、当該拡大対象領域以外の縮小対象領域が、当該子表示領域の領域サイズが変更される直前の所定のレイアウトを維持して縮小されるようにコンピュータを動作させ、前記縮小対象領域は、領域内に表示する医療情報を識別可能な最小領域サイズを定義しており、前記境界線の移動は、前記最小領域サイズに制限される事を特徴とする情報処理方法。
【００９５】
（付記１８）付記１７に記載の情報処理方法において、前記最小領域サイズは、前記医療情報を識別する識別情報を表示可能なサイズである情報処理方法。
【００９６】
（付記１９）付記１７又は１８に記載の情報処理方法において、前記境界線の移動は、前記拡大対象領域の最大化機能を実行することで、前記最小領域サイズまで移動する情報処理方法。
【００９７】
（付記２０）付記１７ないし１９のいずれかに記載の情報処理方法において、前記境界線の移動は、前記最小領域サイズを越えて移動指示した場合に、前記最小領域サイズに制限される情報処理方法。
【００９８】
（付記２１）医療情報を分割して複数の子表示領域へ表示するようにコンピュータを動作させる情報処理プログラムであって、前記複数の子表示領域は境界線により分割されており、前記境界線の移動により、前記子表示領域のうち拡大の対象となる、任意の一部の拡大対象領域が拡大されると共に、当該拡大対象領域以外の縮小対象領域が、当該子表示領域の領域サイズが変更される直前の所定のレイアウトを維持して縮小されるようにコンピュータを動作させ、前記縮小対象領域は、領域内に表示する医療情報を識別可能な最小領域サイズを定義しており、前記境界線の移動は、前記最小領域サイズに制限される事を特徴とする情報処理プログラム。
【００９９】
（付記２２）付記２１に記載の情報処理プログラムにおいて、前記最小領域サイズは、前記医療情報を識別する識別情報を表示可能なサイズである情報処理プログラム。
【０１００】
（付記２３）付記２１又は２２に記載の情報処理プログラムにおいて、前記境界線の移動は、前記拡大対象領域の最大化機能を実行することで、前記最小領域サイズまで移動する情報処理プログラム。
【０１０１】
（付記２４）付記２１ないし２３のいずれかに記載の情報処理プログラムにおいて、前記境界線の移動は、前記最小領域サイズを越えて移動指示した場合に、前記最小領域サイズに制限される情報処理プログラム。
【図面の簡単な説明】
【０１０２】
【図１】第１の実施形態に係る表示制御装置のハードウェア構成図である。
【図２】第１の実施形態に係る表示制御装置の機能ブロック図である。
【図３】第１の実施形態に係る表示制御装置の動作を示すフローチャートである。
【図４】境界線を移動させる直前の表示レイアウトの一例を示す図である。
【図５】第１の実施形態に係る表示制御装置において境界線を移動させた後の表示レイアウトの一例を示す図である。
【図６】第１の実施形態に係る表示制御装置において境界線を移動させた後の表示レイアウトの他の例を示す図である。
【図７】第２の実施形態に係る表示制御装置の機能ブロック図である。
【図８】第２の本実施形態に係る表示制御装置の動作を示すフローチャートである。
【図９】第２の実施形態に係る表示制御装置において境界線を移動させた後の表示レイアウトの一例を示す図である。
【図１０】その他の実施形態に係る表示制御装置において縮小対象画面ごとに縮小率が異なる場合のレイアウトの一例を示す図である。
【図１１】その他の実施形態に係る表示制御装置において拡大対象画面が複数決定された場合のレイアウトの一例を示す図である。
【図１２】その他の実施形態に係る表示制御装置においてレイアウトが複雑である場合の境界線移動後のレイアウトの一例を示す図である。
【図１３】背景技術を示す図である。
【符号の説明】
【０１０３】
１  コンピュータ
１０１  ＣＰＵ
１０２  ＲＡＭ
１０３  ＲＯＭ
１０４  フラッシュメモリ
１０５  ＨＤ
１０６  ＬＡＮカード
１０７  マウス
１０８  キーボード
１０９  ビデオカード
１０９ａ  ディスプレイ
１１０  サウンドカード
１１０ａ  スピーカ
１１１  ドライブ
２００  表示制御装置
２０５  拡大対象領域指示情報
２１０  対象領域決定部
２１５  縮小個数取得部
２２０  境界線検出部
２３０  縮小境界線移動部
２４０  拡大境界線移動部
２５０  表示制御部
【図１】
2010009418.tif 000003
【図２】
2010009418.tif 000004
【図３】
2010009418.tif 000005
【図７】
2010009418.tif 000006
【図８】
2010009418.tif 000007
【図１２】
2010009418.tif 000008
【図１３】
2010009418.tif 000009
【図４】
2010009418.tif 000010
【図５】
2010009418.tif 000011
【図６】
2010009418.tif 000012
【図９】
2010009418.tif 000013
【図１０】
2010009418.tif 000014
【図１１】
2010009418.tif 000015